(57)【要約】      （修正有）【課題】使用が容易で、組み立てが容易であり、余分な部品を含んでいないロック可能なシリンジを提供する。【解決手段】シリンジ１０を使用してバルーンカテーテル等などを加圧するためのロック可能なシリンジであり、単一のシリンジ本体１４のバレル部分３４に係合する、その端部のピストンと、選択的に展開可能かつ交代可能であるねじ山を切ったセグメントとの両方を有するプランジャと、バレルを有する単一のシリンジ本体内に配設された内側にねじ山を切った円筒形の構造体とを含む。プランジャは、その中に収容された動作流体を移動させるか又は加圧する目的で迅速な手動の、又はねじ山制御されたプランジャおよびピストンの移動をシリンジのバレル内で可能にするために、ねじ山を切ったセグメントと、セグメントを確かな方法で制御可能に往復運動させるオペレータ作動デスモドロミック装置とによりねじ山を切ったシリンダと係合可能である。【選択図】図１
2014223301.tif 000002
【特許請求の範囲】
【請求項１】
医療装置を加圧するためのロック可能なシリンジであって、
内側にねじ山を切った部材と、
プランジャの少なくとも一部分が前記内側にねじ山を切った部材の中にある前記プランジャと、
前記プランジャによって支えられる、部材上に外側ねじ山を有する部材と、
前記プランジャの中へ延在し、前記部材上に前記外側ねじ山を有する部材に係合するロックアクチュエータと
を備え、
前記ロックアクチュエータは、前記内側にねじ山を切った部材から、前記部材上に前記外側ねじ山を有する部材を離脱するように作動可能であり、それにより、前記プランジャを回転させる必要がなく、前記プランジャが前記内側にねじ山を切った部材に対して摺動することを可能にする、
ロック可能なシリンジ。
【請求項２】
前記部材上に前記外側ねじ山を有する部材が、前記プランジャの上のレセプタクルに配設された、ねじ山を切ったセグメントを備える請求項１に記載のロック可能なシリンジ。
【請求項３】
前記ロックアクチュエータは、前記部材上に前記外側ねじ山を有する部材を前記内側にねじ山を切った部材に係合するように押すことができ、
前記ロックアクチュエータは、前記プランジャの外へバイアスされている
請求項１に記載のロック可能なシリンジ。
【請求項４】
前記プランジャは、スロットを備え、
前記ロックアクチュエータは、前記スロットに係合し、乗るフィンガを備える、
請求項１に記載のロック可能なシリンジ。
【請求項５】
単一のシリンジ本体をさらに備え、
前記内側にねじ山を切った部材は、前記単一のシリンジ本体に配設される、
請求項１に記載のロック可能なシリンジ。
【請求項６】
前記単一のシリンジ本体は、流路を備え、
前記プランジャは、ピストンを備え、
前記ピストンは、前記単一のシリンジ本体の前記流路内で移動可能である、
請求項５に記載のロック可能なシリンジ。
【請求項７】
前記内側にねじ山を切った部材が前記単一のシリンジ本体に対して実質的に回転することができないように、前記内側にねじ山を切った部材を前記単一のシリンジ本体に対して保持する保持手段をさらに備える、請求項５に記載のロック可能なシリンジ。
【請求項８】
前記ピストンは、該ピストンの一方の端部にハンドルを備え、該ピストンの反対側の端部にピストンを備える、請求項１に記載のロック可能なシリンジ。
【請求項９】
前記ロックアクチュエータは、該ロックアクチュエータの一方の端部にオペレータインターフェース面を備え、該ロックアクチュエータの反対側の端部に制御カムを備える、請求項１に記載のロック可能なシリンジ。
【請求項１０】
前記ロックアクチュエータのオペレータインターフェース面が、前記部材上に前記外側のねじ山を有する部材が前記内側にねじ山を切った部材から離脱するように、前記ロックアクチュエータを前記プランジャの外へバイアスするように構成されたばね手段を備える、請求項９に記載のロック可能なシリンジ。
【請求項１１】
前記制御カムは、展開カムと後退カムとを備える、請求項９に記載のロック可能なシリンジ。
【請求項１２】
前記展開カムは、前記部材上に前記外側のねじ山を有する部材を前記内側にねじ山を切った部材とねじ係合するように押すことによって、前記プランジャをロックするように構成され、
前記後退カムは、前記部材上に前記外側のねじ山を有する部材が前記内側にねじ山を切った部材からねじ離脱することによって、前記プランジャをロック解除することを可能にするように構成されている、
請求項１１に記載のロック可能なシリンジ。
【請求項１３】
前記外側のねじ山を有する前記部材は、展開カム従動子と後退カム従動子とを備える、請求項１２に記載のロック可能なシリンジ。
【請求項１４】
前記プランジャは、長手軸を有し、
前記レセプタクルは、前記ねじ山を切った部材の動きを前記プランジャの長手軸に横に保持する傾向がある側壁によって画定される、請求項２に記載のロック可能なシリンジ。
【請求項１５】
単一のシリンジ本体をさらに備え、
前記内側にねじ山を切った部材は、前記単一のシリンジ本体に配設される複数のセグメントを備え、
前記プランジャの挿入中に前記ねじ山を切ったセグメントによって分け与えられる半径方向外向きの力に起因する、前記内側にねじ山を切った部材の前記セグメントの広がりが、前記内側にねじ山を切った部材の前記セグメントを取り囲む前記単一のシリンジ本体により防止される、
請求項１に記載のロック可能なシリンジ。
【請求項１６】
圧力ゲージ機構を受けるための一体ゲージハウジングと、
前記シリンジ内の動作流体を前記圧力ゲージ機構に送り出すための、内部の流体連通している開口と
を備える単一のシリンジ本体をさらに備える、
請求項１に記載のロック可能なシリンジ。
【請求項１７】
ロック可能なシリンジを組み立てる方法であって、
シリンジ本体を準備するステップと、
内側にねじ山を切った部材を準備するステップと、
プランジャを準備するステップと、
部材上に外側ねじ山を有する部材を準備するステップと、
ロックアクチュエータを準備するステップと、
前記部材上に前記外側ねじ山を有する部材を、前記プランジャと係合させるステップと、
前記ロックアクチュエータが前記外側ねじ山を有する部材と係合するように、前記プランジャの中に前記ロックアクチュエータを挿入するステップと、
前記内側にねじ山を切った部材が前記プランジャの周りに形成されることによって、部分組立体を形成するように、前記内側にねじ山を切った部材を組み立てるステップと、
前記内側にねじ山を切った部材が前記シリンジ本体と係合し、前記シリンジ本体に対して実質的に回転することが防止されるように、前記部分組立体を前記シリンジ本体に挿入するステップと
を備える方法。
【発明の詳細な説明】
【技術分野】
【０００１】
関連出願（優先権主張クレーム）
本出願は、２０１３年５月１６日に出願された米国仮特許出願第６１／８２４，２４３号の利益を主張し、これによりこの仮特許出願の内容全体が参照により本明細書に組み込まれる。
【背景技術】
【０００２】
本発明は、全体としてバルーンカテーテルなどの加圧する医療装置のためのロック可能なシリンジ、ならびにロック可能なシリンジの組み立て方法に関する。
【０００３】
バルーンカテーテルの膨張中、医療提供者がバルーンに与えられる圧力を容易にかつ精密に制御できることが望ましい。相当量の圧力を迅速にバルーンに加えること、またはバルーンから取り除くことができることが望ましいとともに、ほんの少しより小さい圧力を加えること、またはバルーンからほんの少しの圧力を取り除くことができることも望ましい。
【０００４】
バルーンカテーテルに加えられる圧力を精密に制御するためのロック可能なシリンジ（例えば、米国特許第５，０５７，０７８号明細書および米国特許第６，９３８，３１９号明細書に開示された装置を参照）が医療分野において一般的になっている。典型的なロック可能なシリンジは、ある状態では、プランジャがバレルの中にまたはバレルの外にプランジャのハンドルを単に引くだけで急速に移動可能になることを実現する。これにより、バルーンカテーテルに関する圧力の急速な変化が引き起こされる。一方、シリンジをロック位置に置くことができ、それによってシリンジが別の状態に置かれる。この他の状態では、プランジャのハンドルを押すことも引くこともできない。代わりに、ハンドルを回転しなければならず、それによってプランジャが徐々にバレルの中に進むかまたはバレルから後退する。したがって、ロック可能なシリンジは、２つの状態、すなわち、その間バルーンカテーテルの圧力が比較的急速に大きく変えることができるマクロな移動に対する第１の状態と、その間バルーンカテーテルの圧力がより精密にかつ徐々に制御されるミクロな移動に対する第２の状態とにおける動作を効果的に与える。
【０００５】
ロック可能なシリンジは、いくつかの有利な点を与えるが、現在バルーンカテーテル処置に使用が可能な多くのロック可能なシリンジは、使用が困難であり、組み立てが困難であり、および／または余分な部品を含んでいる。
【先行技術文献】
【特許文献】
【０００６】
【特許文献１】米国特許第５，０５７，０７８号明細書
【特許文献２】米国特許第６，９３８，３１９号明細書
【発明の概要】
【発明が解決しようとする課題】
【０００７】
本発明の一実施形態の一目的は、使用が容易で、組み立てが容易であり、余分な部品を含んでいないロック可能なシリンジを提供することである。
【課題を解決するための手段】
【０００８】
簡単に言えば、本発明の一実施形態は、移動可能なねじ山支持プランジャ部材および静止した内側にねじ山を切ったシリンダを迅速にかつ選択的にねじ山を切った係合に置くか、または係合離脱すための作動機構を有するロック可能なシリンジ、具体的にはシリンジを使用して治療用医療バルーンカテーテル等などを加圧するためのロック可能なシリンジを提供する。この機構は、単一のシリンジ本体のバレル部分に係合する、その端部のピストンと、選択的に展開可能かつ後退可能であるねじ山を切ったセグメントとの両方を有するプランジャと、バレルを有する単一のシリンジ本体内に配設された内側にねじ山を切った円筒形の構造体とを含む。その中に収容された動作流体を移動させるかまたは加圧する目的で、迅速な手動またはねじ山制御のいずれかによるプランジャおよびピストンのシリンジのバレル内での移動を可能にするために、プランジャは、ねじ山を切ったセグメントによってねじ山を切ったシリンダと、確かな方法でねじ山を切ったセグメントを制御可能に往復運動させるための、オペレータより作動されるデスモドロミック装置と係合可能である。
【０００９】
ねじ山を切ったセグメントを半径方向にプランジャに挿入することを除いて、ロック可能なシリンジのすべての機構の構成要素は、単一のシリンジ本体の開放後部の中に迅速な一連の軸の組立体を備えるように構成され、好ましくは構築物の噛合う手段により定位置に保持されるように構成される。バレル内の動作流体を観察することを可能にし、使用の準備で混入空気の充填およびパージングの両方を容易にするために完全に透明であることが好ましい単一のシリンジ本体は、バレルに収容される動作流体と直接連通している、動作のための圧力ゲージ機構を受けるための一体ゲージハウジングを提供するように構成されることが好ましい。このハウジングのバレル端部はまた、流体送り出しホースを受け、これをそこに結合させるソケットと共に構成されることが好ましく、前記ホースは、医療用バルーンカテーテルおよび他の治療用の医療装置と流体密結合のためにルアー型コネクタを装備することが好ましい。
【００１０】
ロック可能なシリンジを使用するために、展開カムおよび後退カムとの係合により、ねじ山を切ったセグメントを後退させるかあるいは動作位置に展開するために、オペレータは装置内の制御カムを軸方向に押すかまたは引く。制御カムは、戻り方向にバイアス（付勢）されたばね手段の提供によりその静止位置に自動的に復帰することが好ましい。大抵の応用分野にとって、ロック可能なシリンジのユーザは、既定モードとして一定のねじ山係合を、オプションとして係合離脱を要望する。好ましい実施形態では、制御カムは、プランジャの中央内、したがって効果的に、プランジャのハンドルの中央内に存在し、ユーザアクセスのために好都合な位置にそのオペレータ制御面を置く。
【００１１】
本発明の構造および動作の構成および方法は、それらのさらなる目的および有利な点と共に、添付の図面と共に以下の説明を参照することにより最善に理解することができ、これらの図面において同様の符号は同様の要素を特定する。
【図面の簡単な説明】
【００１２】
【図１】本発明の一実施形態によるロック可能なシリンジの側面図であり、完全に組み立てられたロック可能なシリンジを示す。
【図２】図１に示すロック可能なシリンジの分解斜視図である。
【図３】図１の線Ａ−Ａに沿ったロック可能なシリンジの横断面図であり、完全に遠位の位置にあるプランジャ、静止している制御カム、およびねじ山を切ったシリンダの内側のねじ山と係合して展開されているねじ山を切ったセグメントを示している。
【図４】ロック可能なシリンジの一部分の拡大図であり、展開された位置におけるねじ山を切ったセグメントと共に組み立てられた制御カムを示しており、また、係合離脱を容易にするためにねじ山を切ったセグメントのねじ山セクションの先端を切ることを示している。
【図５】展開位置における制御カム上に組み立てられたねじ山を切ったセグメントの、図４の線Ａ−Ａに沿った横断面図であり、カムの表面とねじ山を切ったセグメントのカム従動子との関係を示している。
【図６】図３の横断面図と同様の横断面図であるが、戻りばねを逸らし、係合したねじ山を切ったセグメントを、ねじ山を切ったシリンダ内で完全に後退した位置に位置するように移動された制御カムオペレータ制御面と遠位的であるプランジャを示している。
【図７】ロック可能なシリンジの一部分の斜視図であり、展開位置におけるねじ山を切ったセグメントと係合する制御カムを示し、また、係合カム従動子および後退カム従動子と、ねじ山を切ったセグメントのスラスト面の両方を示している。
【図８】ロック可能なシリンジのねじ山を切ったセグメントの斜視図である。
【図９】ロック可能なシリンジのロックアクチュエータの斜視図であり、前記端部が制御カムを与える。
【発明を実施するための形態】
【００１３】
本発明は、様々な形態で実施形態の余地があり得るが、本開示が本発明の原理の例示としてみなされるべきであり、本発明を、例示したような発明に限定することを意図しているものでなないという理解により、特有の実施形態を図面に示すとともに本明細書で詳細に説明する。
【００１４】
図１は、本発明の一実施形態によるロック可能なシリンジ１０の側面図であり、一方図２は、その分解図を与える。図示のように、ロック可能なシリンジ１０は、極めて少ない部品を有する。ロック可能なシリンジ１０の基本構成要素は、プランジャ１２と、単一のシリンジ本体１４と、ねじ山を切ったシリンダ１６などの内側にねじ山を切った部材と、ねじ山を切ったセグメント１８と、ロックアクチュエータ２０とを含む。単一のシリンジ本体１４の端部２２には、圧力ゲージ機構２６ならびに一体ハウジング２４において圧力ゲージ機構２６を保護し、封止するための保護レンズ２８を受けるための一体ハウジング２４が存在することが好ましい。
【００１５】
単一のシリンジ本体１４はまた、例えば図１に示すようにホースおよびルアー組立体３２を受けるための、一体ハウジング２４に最も近くにホースソケット３０を含むことが好ましい。単一のシリンジ本体１４は、ホースソケット３０に最も近くにシリンジバレル３４と、圧力ゲージ機構２６とシリンジバレル３４内の動作流体との間で効果的に連通をもたらす内部の開口３６（図３を参照）とを含む。
【００１６】
シリンジバレル３４は概ね円筒形であり、プランジャ１２の一方の端部４２に最も近い、プランジャ１２上に設けられているピストン４０を、シリンジバレル３４の中に設けられた流路３８において受けるように構成されている。図３および図６に示すようにシリンジバレル３４の内側の壁４６で封止するために、封止４４がピストン４０上に設けられている。単一のシリンジ本体１４はまた、ねじ山を切ったシリンダ１６が配設されている概ね円筒形の部分４８を含むことが好ましい。図２に示すように、ねじ山を切ったシリンダ１６は、内側面５６上にねじ山５４を有する、一体となって概ね円筒形の形状を形成する２つの半セグメント５０、５２の形態で設けられるが好ましい。ねじ山を切ったシリンダ１６の２つの半セグメント５０、５２が対合するとき、ねじ山を切ったシリンダ１６は、ねじ山を切ったシリンダ１６のぴったり合った遠位端特徴部５８を介して、プランジャ１２のピストン端部４２を効果的に閉じ込める。さらに、プランジャ１２の挿入中に、ねじ山を切ったセグメント１８により分け与えられる外向きの半径方向力に起因してセグメント５０、５２が離れて広がることが、セグメント５０、５２を取り囲む単一のシリンジ本体１４によって防止されるように、単一のシリンジ本体１４は、その中にねじ山を切ったシリンダ１６のセグメント５０、５２を効果的に取り囲む。
【００１７】
さらに、一般に、ねじ山を切ったシリンダ１６を単一のシリンジ本体１４に保持し、かつねじ山を切ったシリンダが単一のシリンジ本体１４内で回転することを防止するために、保持手段が、単一のシリンジ本体１４の概ね円筒形の部分４８とねじ山を切ったシリンダ１６との間に設けられている。図１〜図３および図６に示すように保持手段は、ねじ山を切ったシリンダ１６の外側面６２上にタブ６０（すなわち各半セグメント５０、５２上のタブ６０）の形態で設けられてもよく、これらのタブは単一のシリンジ本体１４の概ね円筒形の部分４８における対応するノッチ６４に受けられる。追加のまたは代替の保持手段は、ねじ山を切ったシリンダ１６と単一のシリンジ本体１４との間に設けられてもよい。例えば、単一のシリンジ本体１４内の対応する溝で受けるために、フランジがねじ山を切ったシリンダ１６の当接面に沿って設けられてもよい。そのような構成は、ねじ山を切ったシリンダ１６が単一のシリンジ本体１４に対して回転するのを防止する傾向があるだけでなく、ねじ山を切ったシリンダ１６の２つの半セグメント５０、５２を共に押す傾向もあるであろう。
【００１８】
プランジャ１２は、プランジャ１２の一方の端部４２に最も近くピストン４０を有するが、ハンドル６６が反対側の端部６８に最も近く設けられることが好ましい。ハンドル６６は、オペレータにより自己の手を使用して制御されるように形づけられ、構成される。プランジャ１２は、概ね円筒形の部分７０を含み、レセプタクル（受け入れ部、ｒｅｃｅｐｔａｃｌｅ）７２が概ね円筒形の部分７０に設けられている。ねじ山を切ったセグメント１８は、レセプタクル７２に受けられる。レセプタクル７２の側壁７４、７６は、ねじ山を切ったセグメント１８を保持し、案内する働きをする。ねじ山を切ったセグメント１８は、レセプタクル７２（図３および図６を参照）の側壁７４、７６を支えるスラスト面７８、８０（図４、図７および図８を参照）を含む。ねじ山を切ったセグメント１８は、レセプタクル７２内で半径方向に横切るように構成され、ねじ山要素８２を含む。ねじ山要素８２は、先端を切ることが好ましく（図４および図８の参照符号８４により示す）、ねじ山を切ったシリンダ１６の内側面５６上に設けられたねじ山５４と選択的に係合するとともに係合離脱し、これによりロック可能なシリンジ１０をロックするとともにロック解除するように構成されている。これは、以下においてより詳細に説明する。ねじ山要素８２およびスラスト面７８、８０に加えて、ねじ山を切ったセグメント１８はまた、展開カム従動子（展開カムフォロワー、ｄｅｐｌｏｙｍｅｎｔ  ｃａｍ  ｆｏｌｌｏｗｅｒ）８６（図５、図７および図８を参照）と後退カム従動子（後退カムフォロワー、ｒｅｔｒａｃｔｉｏｎ  ｃａｍ  ｆｏｌｌｏｗｅｒ）８８（図４、図５、図７および図８を参照）。
【００１９】
プランジャ１２の概ね円筒形の部分７０はまた、ノッチ９０を含み、プランジャ１２の外側面９２は外側に延在するフランジ９４を与えることが好ましい。プランジャ１２の概ね円筒形の部分７０は、ロックアクチュエータ２０を受ける内部の流路９６を有する。
【００２０】
ロックアクチュエータ２０は、一方の端部１００にオペレータインターフェース面（操作者接触面、ｏｐｅｒａｔｏｒ  ｉｎｔｅｒｆａｃｅ  ｓｕｒｆａｃｅ）９８を含み、他方の端部１０４に制御カム１０２を含む（図９を参照）ことが好ましい。ロックアクチュエータ２０は、保持特徴部１０８を含むシャフト状の部分１０６を含む。この保持特徴部１０８は、プランジャ１２のノッチ９０と効果的に対合するフィンガの形態をとってもよく、これによってロックアクチュエータ２０が概ねプランジャ１２とロックされているが、これに対して所定の距離（すなわち、ノッチ９０等の長さに依存して）を概ね摺動可能であり、ロックアクチュエータ２０上のフィンガ１０８は、プランジャ１２のノッチ９０に沿って移動する。ロックアクチュエータ２０はまた、プランジャ１２に対して後退した位置にロックアクチュエータ２０をバイアス（付勢）するためのばね手段１１０を含むことが好ましい。このばね手段１１０は、円弧状、複数のセグメントにされた、可撓性の壁１１２の形態をとって、オペレータインターフェース面９８に最も近く、またはオペレータインターフェース面９８上に設けられてもよい。この壁はプランジャ１２に対して後退位置にロックアクチュエータ２０を押す傾向がある。
【００２１】
ロックアクチュエータ２０の制御カム１０２は、展開カム１１４（図４〜図６および図９を参照）と、後退カム１１６（図４、図５、図７および図９を参照）とを備え、これらの両方はねじ山を切ったセグメント１８のカム従動子８６、８８に係合するように構成される。さらに、制御カム１０２は、ヒール１１８（図４〜図７および図９を参照）を含んでいる。展開カム１１４は、図３に示すように、ねじ山を切ったセグメント１８を、ねじ山を切ったシリンダ１６上でねじ山５４とのねじ山を切った係合に効果的に押し込み、これによってねじ山を切ったシリンダ１６に対してプランジャ１２を、効果的にねじ山をつけられるようにロックするように構成されている。この状態ではプランジャ１２のハンドル６６は、単一のシリンジ本体１４に対して押したり引いたりすることができないが、その代わりにプランジャ１２のミクロな移動に影響するように回転させなければならず、この結果小さい、制御された圧力の変動が生じる。対照的に、後退カム１１６は、図６に示すように、ねじ山を切ったセグメント１８がねじ山を切ったシリンダ１６上でねじ山５４からねじ山をつけられるように係合離脱され、それによってプランジャ１２を、ねじ山を切ったシリンダ１６に対して効果的にロック解除できるように構成される。この状態ではプランジャ１２のハンドル６６は、プランジャ１２のマクロの移動に影響を与えるように単一のシリンジ本体１４に対して押したり引いたりすることができ、この結果大きい圧力変化が生じる。
【００２２】
大きい、高いピッチ制御ねじ山の望ましくない不利益がなく、迅速な流体の送り出しおよび圧力の構築を実現するために、本明細書に開示されたロック可能なシリンジ１０は、複数条リード制御ねじ山（すなわち、ねじ山要素８２およびねじ山５４に関して）を備えることが好ましい。したがって、ねじ山ピッチまたは完全回転ごとのプランジャの移動量は、例えば２条リードねじ山に対しては、０．１００インチから好ましい０．１６６インチまで、さらには、３条リードねじ山に対してもそのような急峻なピッチのねじ山に一般的な過度のねじ山深さによる不利益がなく、０．２５０インチまでも範囲にすることができる。このアプローチに対する追加の利益は、複数条リードねじ山により、オペレータが手動のプランジャ移動から制御されたねじ山係合に移ることが、透明であり通常の感触の方法でそのように行えることである。例えば、０．１６６インチの２条リードねじ山は、０．０８３インチピッチの１条リード制御ねじ山の場合とちょうど同じようにプランジャ移動の０．０８３インチごとにねじ山係合点を与える。比較すると、プランジャ移動の０．１６６インチごとにのみ係合する０．１６６インチピッチの１条リードねじ山を使用する場合、これは確かに本当ではないであろう。複数条リード制御ねじ山のさらなる利益は、深さをより浅くすると完全な係合離脱のためにプランジャのねじ山を切ったセグメント１８の横への後退移動がより少なくてすむということである。より浅い複数条リードねじ山のさらに別の利益は、同様のピッチのより深い１条リードねじ山と比較すると、小さい変位の装置がコンパクトに設計できるように全体的な装置の周囲の寸法の点でそれらが表す経済性である。
【００２３】
ねじ山を切ったセグメント１８は、２つのねじ山要素８２を有するものとして説明され図面に示されているが、ねじ山を切ったセグメント１８は、使用の際に耐えることが期待される負荷と、プランジャの回転ごとの所望される前進速度とによって規定されるように、単一のねじ山要素またはいくつかのねじ山要素でさえも有するものとして設けることができる。それにかかわらず、図３に示すようにねじ山を切ったセグメント１８は、レセプタクル７２の平行な側壁７４、７６により保持され案内される。バレル３４内のピストン前進に抵抗する動作流体の圧力から生じる負荷は、装置１０の長手軸（図１の水平線１２０と共に示す）と同一線上にあり、バレル３４に最も近いレセプタクルの側壁７６の面からねじ山を切ったセグメント１８の隣接するスラスト面８０へ、次いで、順次、ねじ山を切ったシリンダ１６のねじ山５４と係合するねじ山要素８２へ、最後に単一のシリンジ本体１４へ伝達し、ねじ山を切ったシリンダ１６上の保持特徴部６０と、単一のシリンジ本体１４における対応するノッチ６４との係合によって同じものを収容し保持する。バレル３４内の真空条件下での負荷によりレセプタクル７２の反対側の側壁７４がねじ山を切ったセグメント１８のスラスト面７８に対して支え、また負荷伝達の同じ連鎖が反対側の方向に発生する。ねじ山を切ったセグメント１８をねじ山切ったシリンダ１６からの完全で同時になされる係合および係合離脱を確実にするために、そのねじ山要素８２は、内接される仮想シリンダの半径に等しいかまたはこれを超えることがなく、かつねじ山を切ったシリンダ１６のねじ山５４の山の頂に接触する半径によって、先端が切られることが好ましい（図４の符号８４で示すように）。この先端を切ることは、解放中にねじ山要素の端部のフレッチングを妨げるそれらの中央と共に、ねじ山を切ったセグメントのねじ山要素８２の先端が、ねじ山を切ったシリンダ１６から解放されることを確実にし、また、横の移動距離、したがってねじ山を切ったセグメント１８の係合および係合離脱に必要なカムの高さを減少させる。さらに、断面のねじ山の形態の勾配を描く角度１２２（図４を参照）は、内部へ後退させようとするねじ山を切ったセグメント１８に対して、長手方向のスラストを分け与えることにより負荷からの解放中にねじ山を切ったセグメント１８の後退においてカムを支援するように働く。この支援の程度は、ねじ山設計中に選ばれた角度１２２により制御することができる。
【００２４】
使用に際して流体圧力の発生から負荷がかけられるとき、図７に示すようにねじ山を切ったセグメントの展開カム従動子８６は、展開カム１１４を押し、シリンジ軸１２０に対して横であるこのスラストは、それを収容するプランジャ構造体の内壁に対して支えるカムの支持構造体のヒール１１８によって抵抗され、今度はねじ山を切ったシリンダ１６の周囲のねじ山５４にその負荷を伝達し、次いで、このねじ山５４は、この横の負荷を、それを取り囲むとともに収容する単一のシリンジ本体１４に伝達する。ねじ山を切ったセグメント１８の後退は、負荷下の反作用のスラストに依存しない。しかしながら展開カム１１４、後退カム１１６、およびねじ山を切ったセグメント１８の相互作用は、本来デスモドロミック（ｄｅｓｍｏｄｒｏｍｉｃ）であり、したがって図６に示すように、ねじ山を切ったセグメント１８を内側または外側に確実に往復運動させることができ、これにより、制御カムのオペレータインターフェース面９８が（図６の矢印１２４に示すように）作動されると、ねじ山を切ったセグメント１８は、内側へ引かれそれによってこれを係合離脱させる。この移動は、ねじ山を切ったセグメント１８の後退カム従動子８８と展開カム１１４の後部に位置する後退カム１１６との係合によって実現される。制御カム１０２のオペレータ移動中、その保持特徴部１０８がプランジャ１２のノッチ９０内で長手方向に自由に横切ることができるままであることに留意されたい。
【００２５】
カム１０２による展開または後退中にねじ山を切ったセグメント１８の動きは、個々のねじ山形態の角度のそれまでの任意の角度にしてもよいが、しかし負荷下での結果として生じるベクトル力を解消するために、レセプタクル７２の側壁７４、７６は、ねじ山を切ったセグメント１８の動きをプランジャ１２の長手軸１２０に対して横に保つように配置されることが好ましい。これらの部品間で理に適った動作クリアランスを維持しながら、ねじ山を切ったセグメント１８ができるだけプランジャの長手軸１２０に垂直に留まることを確実にするために、スラスト面７８、８０にわたるねじ山を切ったセグメント１８の高さとレセプタクル７２内のその係合深さとのアスペクト比は、１．０以下に保つことが好ましい。それらの係合の深さが増加することなくこれらのスラスト面７８、８０にわたる高さを追加すると、場合によっては、ねじ山を切ったセグメント１８の位置ずれの増加および詰まりにつながるより高い角度偏向の力が生じる。このことは、十分な圧力負荷の下で動作しながら、ねじ山を切ったセグメント１８を引き込むように要求された場合に、後退カム１１６により大きい負荷をかけることになる。望ましくないアスペクト比から生じる別の問題は、レセプタクルとセグメント構成要素との間の必要な動作クリアランスから生じる許容できる角度の動きに起因して完全な後退がより困難になるであろうということである。この角度の動きは、ねじ山を切ったセグメント１８のねじ山５４の先端を直角にまたは完全に係合離脱させず、したがってねじ山を切ったシリンダ１６内の引きずりにより自由な動きを損なわせることがある。
【００２６】
本発明の別の態様は、本装置を組み立てる方法を提供する。組み立ては、プランジャ１２から始めて、ピストン４０の上に封止４４を取り付けるステップと、ねじ山を切ったセグメント１８をプランジャ１２のレセプタクル７２の中に挿入するステップと、ねじ山を切ったセグメント１８のカム従動子８６、８８（図４、図５および図７に示すような）を展開および後退カム１１４、１１６と係合させるために制御カム１０２を軸方向にプランジャ１２の中に挿入するステップと、制御カム戻りばね手段１１０をプランジャ１２と接触させるステップと、ねじ山を切ったシリンダの保持特徴部６０をプランジャ１２上でノッチ６４にロックすることを可能にするステップとによって実現される。所望であれば、装飾カバーリング（図示せず）を、すなわち審美的目的のために、プランジャ１２のハンドル６６の上にプレスしてもよい。制御カム１０２が、本明細書においてばね手段１１０が制御カムのオペレータ制御面９８と一体に形成されているように示されているが、当業者であれば、プランジャ１２とオペレータ制御面９８との間に挿入された一般的な巻線ばねが、そうすることが追加の１つの構成要素を使用することになるが、オペレータ制御面９８上の一体ばね手段１１０と同じ目的を実現するであろうことを認識するであろうことに留意されたい。さらなる他の構造体もこの機能を完全に実現することが可能である。全プランジャ部分組立体は、次にねじ山を切ったシリンダ１６により包まれ、それによってオペレータ制御および駆動部分組立体を完成する。プランジャ１２がねじ山を切ったシリンダ１６によって包まれると、プランジャ１２のピストン４０端部は、ねじ山を切ったシリンダ１６の、ぴったり合った遠位端特徴部５８によって閉じ込められ、それによってピストン４０を、ねじ山を切ったシリンダ１６から取り外すことができることを防止する。次いで、この完成された制御駆動組立体は、まず、ピストン４０および封止４４をバレル３４に係合させてから制御駆動部分組立体を軸方向に最大限に押すことにより、単一のシリンジ本体１４に挿入され、それによってねじ山を切ったシリンダ１６は、その場合シリンジ本体１４内にぴったりと捕捉され、スナップタイプの保持特徴部６０の係合により定位置に固定され、対応するノッチ６４が単一のシリンジ本体１４に設けられる。シリンジ作動構成要素の取付けに続いて、圧力ゲージ機構２６は、単一のシリンジ本体１４の端部２２に最も近く一体ハウジング２４内に固定され、保護レンズ２８はその上に適所に嵌められ、ルアー装備のホース組立体３２が受けソケット３０の中に結合される。所望であれば、圧力ゲージ機構２６およびルアー装備のホース組立体３２の一方または両方は、オペレータ制御駆動部分組立体の取付けに進む前にまず単一のシリンジ本体１４に組み立てられてもよい。
【００２７】
本発明の特有の実施形態が、示され説明されてきたが、当業者であれば本発明の精神および範囲から逸脱することなく様々な変形形態を考案することができることが想像される。
【図１】
2014223301.tif 000003
【図２】
2014223301.tif 000004
【図３】
2014223301.tif 000005
【図４】
2014223301.tif 000006
【図５】
2014223301.tif 000007
【図６】
2014223301.tif 000008
【図７】
2014223301.tif 000009
【図８】
2014223301.tif 000010
【図９】
2014223301.tif 000011
【外国語明細書】
2014223301000001.pdf